(57)【要約】【課題】  使用時には十分にタッチパネルが固定され、メンテナンス時などでは、タッチパネルが破損することなく容易に取り外しできる電子装置を提供する。【解決手段】  タッチパネル２に、永久磁石５を設け、フレーム部３に電磁石６を設けておき、電磁石６のコイルに電流を供給する際に、その向きを制御し、永久磁石５の発生する磁界を打ち消すような磁界を発生させる。これにより、永久磁石５と電磁石６とが磁力吸着によって固定される力は、電磁石６のコイルに電流を供給していないときの力よりも低減されることになる。メンテナンス時などで、タッチパネル２を取り外す際には、電磁石６に電流を供給することで、破損することなく容易にタッチパネル２を取り外すことができる。【選択図】      図１
2013250794.tif 000002
【特許請求の範囲】
【請求項１】
タッチパネルと、
前記タッチパネルに重ねて配置される電子装置本体と、
前記タッチパネルと、前記電子装置本体とを磁力によって固定する磁力固定手段と、
前記磁力を低減させることで、前記磁力固定手段による前記タッチパネルと、前記電子装置本体とを固定する力を低減させることが可能な磁力低減手段とを備えることを特徴とする電子装置。
【請求項２】
前記磁力固定手段は、永久磁石と電磁石とからなり、
前記磁力低減手段は、前記電磁石への電流の供給を制御して、前記磁力を低減させることを特徴とする請求項１記載の電子装置。
【請求項３】
前記磁力低減手段は、前記電磁石への電流の供給を制御して、前記永久磁石を着磁させることが可能に構成されていることを特徴とする請求項２記載の電子装置。
【請求項４】
前記タッチパネルと、前記電子装置本体とは、平面視で矩形状に形成され、前記磁力固定手段は、前記タッチパネルの四隅に設けられることを特徴とする請求項１〜３のいずれか１つに記載の電子装置。
【請求項５】
前記電子装置本体が、表示パネルを含み、
前記タッチパネルは、前記表示パネルに重ねて配置されることを特徴とする請求項１〜４のいずれか１つに記載の電子装置。
【発明の詳細な説明】
【技術分野】
【０００１】
本発明は、タッチパネルを備える電子装置に関する。
【背景技術】
【０００２】
スマートフォンやタブレットＰＣ（パーソナルコンピュータ）など、無線通信機能およびタッチパネル機能などを備えた端末装置は、その使い易さから広く普及し始めている。
【０００３】
タッチパネルは、液晶表示パネルなどの表示パネルの表示面を覆うように配置され、表示面に表示されたソフトキー画像などと協働して端末装置の入力デバイスとして機能する。
【０００４】
タッチパネルが入力デバイスとして機能するためには、表示パネルとの位置関係を長期間にわたって保持する必要があるため、表示パネルを収納する筐体に位置合わせされて、強固に固定される。たとえば、粘着力の大きな両面テープなどを用いて、タッチパネルと筐体とが固定される。一方で、製造時およびユーザ使用時などにタッチパネルと表示パネルとの間に異物が挟まったり、タッチパネルに傷がついたりした場合、メンテナンスのためにタッチパネルを筐体から取り外す必要がある。
【０００５】
両面テープによって強固にタッチパネルと筐体とが固定されている場合、タッチパネルを取り外す際に、固定する力に反する力をタッチパネルに外力として付加する必要があるので、付加した外力によってタッチパネルを破損してしまうおそれがある。
【０００６】
特許文献１記載のタッチパネル付き液晶表示装置は、タッチパネルにシート型磁石が両面テープで貼り付けられ、タッチパネルが、金属フレームに、シート型磁石によって着脱自在に取り付けられている。
【先行技術文献】
【特許文献】
【０００７】
【特許文献１】特開２００３−１６２３７５号公報
【発明の概要】
【発明が解決しようとする課題】
【０００８】
特許文献１記載の液晶表示装置では、両面テープではなく、磁石を用いることで、磁力によってタッチパネルと金属フレームとを固定している。
【０００９】
しかしながら、磁力が大きい場合は、両面テープによる固定と同様に取り外す際に磁力によって固定する力に反する力をタッチパネルに付与する必要があるので、やはりタッチパネルが破損してしまうおそれがある。取り外し易いように磁力を小さくすると、意図しないときでも容易に外れてしまう。
【００１０】
本発明の目的は、使用時には十分にタッチパネルが固定され、メンテナンス時などでは、タッチパネルが破損することなく容易に取り外しできる電子装置を提供することである。
【課題を解決するための手段】
【００１１】
本発明は、タッチパネルと、
前記タッチパネルに重ねて配置される電子装置本体と、
前記タッチパネルと、前記電子装置本体とを磁力によって固定する磁力固定手段と、
前記磁力を低減させることで、前記磁力固定手段による前記タッチパネルと、前記電子装置本体とを固定する力を低減させることが可能な磁力低減手段とを備えることを特徴とする電子装置である。
【００１２】
また本発明は、前記磁力固定手段は、永久磁石と電磁石とからなり、
前記磁力低減手段は、前記電磁石への電流の供給を制御して、前記磁力を低減させることを特徴とする。
【００１３】
また本発明は、前記磁力低減手段は、前記電磁石への電流の供給を制御して、前記永久磁石を着磁させることが可能に構成されていることを特徴とする。
【００１４】
また本発明は、前記タッチパネルと、前記電子装置本体とは、平面視で矩形状に形成され、前記磁力固定手段は、前記タッチパネルの四隅に設けられることを特徴とする。
【００１５】
また本発明は、前記電子装置本体が、表示パネルを含み、
前記タッチパネルは、前記表示パネルに重ねて配置されることを特徴とする。
【発明の効果】
【００１６】
本発明によれば、タッチパネルと、電子装置本体とが、磁力によって磁力固定手段で固定される。磁力低減手段は、前記磁力を低減させることで、前記磁力固定手段による前記タッチパネルと、前記電子装置本体とを固定する力を低減させることが可能となっている。
【００１７】
使用時には、磁力固定手段の磁力により、タッチパネルと電子装置本体とを十分な力で固定し、メンテナンス時などでは、磁力低減手段によって磁力を低減させ、固定力を低減させることができる。
【００１８】
固定力を低減させた状態で、タッチパネルを電子装置本体から取り外せば、大きな外力を付加する必要がないので、タッチパネルの破損を防止することができる。
【００１９】
また本発明によれば、前記磁力固定手段は、永久磁石と電磁石とからなり、前記磁力低減手段は、前記電磁石への電流の供給を制御して、前記磁力を低減させる。
【００２０】
磁力固定手段に電磁石を用いることで、容易に電界の向きを制御することができ、永久磁石との磁力による固定力を低減させることができる。
【００２１】
また本発明によれば、前記磁力低減手段は、前記電磁石への電流の供給を制御して、前記永久磁石を着磁させることが可能に構成されている。
【００２２】
永久磁石は、経時的に発生する磁界が小さくなるので、電磁石によって永久磁石を着磁し、永久磁石を再生させることができる。
【００２３】
また本発明によれば、前記タッチパネルと、前記電子装置本体とは、平面視で矩形状に形成され、前記磁力固定手段は、前記タッチパネルの四隅に設けられる。
【００２４】
使用時には、固定力を大きくすることができるので、タッチパネルの周縁に沿って全体に磁力固定手段を設ける必要はなく、四隅に設けるだけで十分な固定力を得られる。
【００２５】
また本発明によれば、前記電子装置本体、表示パネルを含む表示装置であり、表示パネルとタッチパネルとで、入力手段を構成することができる。
【図面の簡単な説明】
【００２６】
【図１】本発明の実施形態であるタッチパネル付き表示装置１の外観を示す分解斜視図である。
【図２】表示装置１の隅部の拡大断面図である。
【図３】永久磁石５を第１方向に配置した場合の構成を示す模式図である。
【図４】永久磁石５を第２方向に配置した場合の構成を示す模式図である。
【発明を実施するための形態】
【００２７】
図１は、本発明の実施形態であるタッチパネル付き表示装置１の外観を示す分解斜視図である。本実施形態では、電子装置の一例としてタッチパネル付き表示装置としたが、本発明はこれに限らず、タッチパネルを備える電子装置であればよい。
【００２８】
本実施形態のタッチパネル付き表示装置（以下では、単に「表示装置」という）１は、タッチパネルと表示パネルとが協働して入力手段を構成するものであり、たとえば、タブレットＰＣ（パーソナルコンピュータ）、スマートフォン、電子辞書装置、電子書籍表示装置などで実現される。
【００２９】
表示装置１は、タッチパネル２と、フレーム部３と、表示パネル４と、永久磁石５と、電磁石６とを備える。
【００３０】
タッチパネル２は、抵抗膜方式、静電容量方式、電磁誘導方式および表面弾性波方式など各種方式のタッチパネルを用いることができる。いずれの方式としても、表示パネル４が表示する画像が視認できるように、接触位置を検出するための部分は透明膜からなり、この透明膜を保持するためのフレームを備えている。
【００３１】
フレーム部３は、表示パネル４とともに本発明の電子装置本体を構成し、タッチパネル２と重ねて配置される。フレーム部３は、表示パネル４を保持する筐体と、タッチパネル２および表示パネル４への電源供給、タッチパネル２から出力される接触位置を示す信号の取得および表示パネル４に表示させる画像を示す信号の供給などを行う電子基板とを備える。
【００３２】
フレーム部３の筐体は、たとえば、所望の機械的強度を備えるように、ステンレス鋼材（ＳＵＳ）、アルミニウム、マグネシウムなどの材質をインサート成形して得られる。永久磁石５および電磁石６への影響を小さくするために、筐体のうちの電磁石６を収容する付近については、ポリカーボネート、ガラス含有ポリカーボネート、ポリアミド系エンジニアリングプラスチックなど非磁性の樹脂材料で形成することが好ましい。
【００３３】
表示パネル４は、液晶表示パネル、プラズマ表示パネル、有機ＥＬ（エレクトロルミネッセンス）表示パネルなど、薄型の表示パネルであればいずれでも使用することができる。永久磁石５は、タッチパネル２の、フレーム部３に対向する側の主面に設けられる。永久磁石５は、公知の永久磁石を用いることができ、鉄、ニッケル、コバルト、チタンなどの複数の金属を含む合金系、バリウムフェライト、ストロンチウムフェライトなどを用いるフェライト系の他に、希土類ネオジウム系、希土類サマリウム・コバルト系などを用いることができる。
【００３４】
電磁石６は、磁性材料からなる芯材と、芯材の周囲を取り巻くコイルとからなり、コイルに流す電流の向きを制御することによって、発生する磁界の向きを制御することができる。電流を供給するかしないかによって、電磁石に磁界を発生させる場合と、発生させない場合とで切り換えることができ、さらに、電流を供給する向きによって、発生させる磁界の向きを切り換えることができる。
【００３５】
電磁石６は、磁性体からなる芯材、たとえば鉄芯を備えているので、電流を供給しない場合は、単なる磁性体として、磁力によって永久磁石５と吸着する。永久磁石５を、たとえば、矩形状のタッチパネル２の四隅に配置し、電磁石６を矩形状のフレーム部３の四隅に配置すれば、四隅で永久磁石５と電流を供給しない状態の電磁石６の芯材とが磁力吸着し、タッチパネル２をフレーム部３に磁力によって固定することができる。永久磁石５と電磁石６は、一対で磁力固定手段を構成する。
【００３６】
また、永久磁石５と電磁石６との磁力による固定力を妨げないことを前提として、タッチパネル２のフレーム部３への固定を補助する固定補助部材を設けてもよい。固定補助部材としては、たとえば、タッチパネル２とフレーム部３との互いに対向するそれぞれ面に介在し、これらの対向面を粘着によって固定する弱粘着性の両面テープなどを用いることができる。
【００３７】
さらに、永久磁石５と電磁石６との磁力による固定力を妨げないことを前提として、タッチパネル２とフレーム部３との間に、シール性を有するクッション材を設けてもよい。このクッション材は、たとえば、タッチパネル２とフレーム３のいずれか一方に、両面テープなどで粘着固定していてもよい。
【００３８】
永久磁石５は、経時的にわずかに残留磁化が小さくなるが、その減少速度が極めて緩やかであるので、発生する磁界は、ほぼ一定であるとみなすことができる。したがって、永久磁石と鉄などの磁性体とを磁力吸着によって固定する場合、その固定力は永久磁石５に依存し、変化することはない。
【００３９】
従来技術では、単に永久磁石と金属フレームとを用いて、タッチパネルを金属フレームに固定しているので、その固定力は一定である。金属フレームとタッチパネルとが容易に外れないように、発生する磁界が大きな永久磁石を使用すると、タッチパネルを金属フレームから取り外すために、大きな外力を付加する必要がある。タッチパネルの透明膜やフレームは、このような大きな外力によって簡単に破損してしまう。
【００４０】
本発明は、電磁石６を用いており、コイルに電流を供給する際に、その向きを制御し、永久磁石５の発生する磁界を打ち消すような磁界を発生させる。これにより、永久磁石５と電磁石６とが磁力吸着によって固定される力は、電磁石６のコイルに電流を供給していないときの力よりも低減されることになる。
【００４１】
したがって、通常、表示装置１を使用するときには、電磁石６のコイルには電流を供給せず、電磁石６の鉄芯と永久磁石５との磁力吸着によって、タッチパネル２とフレーム部３とを強固に固定し、メンテナンス時などでは、電磁石６のコイルに電流を供給し、永久磁石５と電磁石６とが磁力吸着で固定される力を弱める。固定力が弱められた状態では、タッチパネル２をフレーム部３から取り外すために付加する外力も小さくてすむので、取り外しの際に、タッチパネル２を破損することを防止することができる。
【００４２】
図２は、表示装置１の隅部の拡大断面図である。図２（ａ）は、タッチパネル２がフレーム部３に固定された状態を示し、図２（ｂ）は、タッチパネル２をフレーム部３から取り外した状態を示す。
【００４３】
永久磁石５は、板金７を介してタッチパネル２に取り付けられる。さらに、板金７は、両面テープ８によって、タッチパネル２のフレームに取り付けられる。タッチパネル２のフレームは金属などの磁性体材料で構成されるとは限らず、樹脂材料からなる場合もあるので、永久磁石５を直接タッチパネル２のフレームに取り付けられない場合がある。本実施形態では、金属製の板金７をタッチパネル２のフレームに両面テープ８の粘着力で強固に固定した上で、磁力吸着によって板金７に永久磁石５を固定する。タッチパネル２と永久磁石５との固定力は、両面テープ８の粘着力と永久磁石５の磁力とによって決まり、変化することはない。
【００４４】
一方、電磁石６は、フレーム部３の筐体に設けられた空孔に埋設される。電磁石６は、コイルと芯材とからなるが、これらは一体的に構成されている。
【００４５】
筐体に設けられた空孔は、たとえば永久磁石５が円柱または円板状であれば、この形状に対応する円柱または円板状の空間として形成される。電磁石６の鉄心または一体化された電磁石６全体の投影形状が、空孔の断面形状よりも大きく構成されることが好ましい。空孔周辺の筐体部分が電磁石６を抑えつけることにより、電磁石６と永久磁石５とが磁力吸着で固定されたときに、電磁石６が空孔を通過して筐体から離脱することを防ぐことができる。なお、電磁石６が空孔よりも小さい場合は、電磁石６と永久磁石５とが磁力吸着で固定される力に反して、電磁石６を筐体または後述する電子基板９に固定する手段を設ければよい。
【００４６】
さらに、フレーム部３には、電子基板９が内蔵されており、この電子基板９が、上記のように、タッチパネル２および表示パネル４への電源供給、タッチパネル２から出力される接触位置を示す信号の取得および表示パネル４に表示させる画像を示す信号の供給などを行う。さらに、電子基板９は、配線１０を介して電磁石６と電気的に接続されており、電磁石６のコイルに対して電流を供給することができる。
【００４７】
電子基板９による電磁石６のコイルへの電流供給は、電子基板９に搭載されたマイクロコンピュータなどによって、供給する電流の大きさおよび供給する電流の向きを適宜変化させることができる。メンテナンス時など、タッチパネル２をフレーム部３が取り外す必要がある場合を除いては、電磁石６のコイルへの電流供給は行わないことが好ましい。コイルへの電流を供給する際に、電流の向きによっては、永久磁石５と電磁石６とをより強固に磁力吸着させることも可能であるが、コイルへの電流供給によって、表示装置１の消費電力量が増加してしまうので、特定に場合を除き、コイルへの電流供給は行わないほうが好ましい。上記のように、永久磁石５と電磁石６の磁性体芯材とは磁力吸着によって十分な固定力が発生するので、通常使用時は、コイルに電流を供給しなくともよい。
【００４８】
そして、メンテナンス時など、タッチパネル２をフレーム部３から取り外す必要があるときには、一時的にコイルに電流を供給し、永久磁石５で発生する磁界を低減し、磁力吸着による永久磁石５と電磁石６との固定力を低減させる。タッチパネル２をフレーム部３から取り外してしまえば、電磁石６に電源を供給する必要はなくなるので、電源供給を停止すればよい。メンテナンスなどが終了し、再びタッチパネル２をフレーム部３に取り付ける場合には、特に電磁石６のコイルへの電流の供給は必要がない。すなわち、電磁石６のコイルに対して電流の供給が必要となるのは、タッチパネル２をフレーム部３から取り外すためにタッチパネル２に外力付加する必要がある僅かな期間だけでよい。
【００４９】
電磁石６のコイルに電流を供給する期間と、表示装置１を使用するために電源をオン・オフする期間とは関連性がないので、表示装置１の電源キーとは別に、電磁石６のコイルに電流を供給するための制御キーを独立して設けることが好ましい。
【００５０】
本実施形態では、永久磁石５が発生する磁界を弱めるために電磁石６のコイルに電流を供給するので、制御キーは、コイルに電流を供給するかしないかの２種類の状態を切り換えることができるようなスイッチであればよい。たとえば、制御キーがスライドキーであれば、キーの付近に「メンテナンス時⇔通常使用時」、「取り外し⇔固定」などの表示をしておき、制御キーを「メンテナンス時」および「取り外し」にスライドさせたときには、電子基板９に設けられた電磁石６への電流供給回路を閉じるようにして、電磁石６のコイルに電流を供給するように構成する。制御キーを「通常使用時」および「固定」にスライドさせたときには、電子基板９に設けられた電磁石６への電流供給回路を開くようにして、電磁石６のコイルへの電流の供給を停止するように構成する。
【００５１】
永久磁石５をタッチパネルに配置する際の磁極の並び方向には、主に２種類の方向がある。１つは、タッチパネル２の厚み方向、すなわち表示装置１の厚み方向に沿って磁極を並べるものであり（第１方向）、もう１つは、タッチパネルの面方向、すなわち表示装置１の面方向に沿って磁極を並べるものである（第２方向）。
【００５２】
図３は、永久磁石５を第１方向に配置した場合の構成を示す模式図であり、図４は、永久磁石５を第２方向に配置した場合の構成を示す模式図である。
【００５３】
図３（ａ）および図４（ａ）は、電磁石６のコイルへの電流供給を停止した状態を示し、図３（ｂ）および図４（ｂ）は、電磁石６のコイルへ電流を供給した状態を示す図である。
【００５４】
永久磁石５を第１方向でタッチパネル２に設けた場合は、たとえば、図３に示すように、永久磁石５のＮ極５ａが、板金７に接触しており、磁力吸着によって永久磁石５が板金７を介してタッチパネル２に固定される。また、永久磁石５のＳ極５ｂがフレーム部３に対向するように設けられており、電磁石６の鉄芯に接触する。このとき、電磁石６のコイルには電流が供給されていないので、電磁石６の鉄芯に永久磁石５が近づくことにより、鉄芯が励磁されて鉄芯の永久磁石５と接触する側がＮ極６ａとなり、反対側がＳ極６ｂとなる（図３（ａ））。電磁石６のコイルに電流が供給されていないときは、永久磁石５と電磁石６の鉄芯とは、磁気吸着力によって強固に固定される。
【００５５】
電磁石６のコイルに電流を供給することによって、永久磁石５の発生する磁界を弱めるように鉄芯を励磁させる。磁極としては、永久磁石５は変化しないので、図３（ａ）と同様に、Ｎ極５ａが、板金７に接触しており、永久磁石５が板金７を介してタッチパネル２に固定されたままの状態であり、Ｓ極５ｂがフレーム部３に対向するように設けられた状態である。
【００５６】
電磁石６については、鉄芯を励磁させて、図３（ａ）の場合とは逆向きの磁極とする。永久磁石５と接触する側がＳ極６ａとなり、反対側がＮ極６ｂとなる（図３（ａ））。これによって、永久磁石５の発生する磁界と、電磁石の発生する磁界とで打ち消し合い、実質的に永久磁石の発生する磁界が弱められて、磁力吸着による永久磁石５と電磁石６との固定力が低減することになる。
【００５７】
この状態では、小さな外力をタッチパネル２に付与するだけで、タッチパネル２をフレーム部３から取り外すことができる。
【００５８】
電磁石６の発生する磁界をより大きくすることで、永久磁石５と電磁石６との磁気反発力が大きくなり、電磁石６に電流を供給するだけで、外力を付与することなく、タッチパネル２をフレーム部３から離脱させることもできる。電磁石６の磁界の強さは、コイルの巻き数と、供給する電流の大きさに依存する。使用する永久磁石５の磁界の強さは予めわかっているので、使用する永久磁石５の磁界の強さに応じて、電磁石６で必要な磁界を発生させるための巻き数および電流値を設定すればよい。
【００５９】
永久磁石５を第２方向でタッチパネル２に設けた場合は、たとえば、図４に示すように、永久磁石５のＮ極５ａが、内方側となり、Ｓ極５ｂが外方側となるように設けられる。このような配置で、磁力吸着によって永久磁石５が板金７を介してタッチパネル２に固定される。電磁石６のコイルには電流が供給されていない状態で、第２方向に配置された永久磁石５を、電磁石６の鉄芯に接触させると、電磁石６の鉄芯が励磁され、永久磁石５のＮ極５ａが接触する、鉄芯の内方側がＳ極６ａとなり、永久磁石５のＳ極５ｂが接触する、鉄芯の外方側がＮ極６ｂとなる。電磁石６のコイルに電流が供給されていないときは、永久磁石５と電磁石６の鉄芯とは、磁気吸着力によって強固に固定される。
【００６０】
電磁石６のコイルに電流を供給することによって、永久磁石５の発生する磁界を弱めるように鉄芯を励磁させる。磁極としては、永久磁石５は変化しないので、図４（ａ）と同様に、Ｎ極５ａが内方側となり、Ｓ極５ｂが外方側となる状態である。
【００６１】
電磁石６については、鉄芯を励磁させて、図４（ａ）の場合とは逆向きの磁極とする。永久磁石５のＮ極５ａが接触する、鉄芯の内方側がＮ極６ａとなり、永久磁石５のＳ極５ｂが接触する、鉄芯の外方側がＳ極６ｂとなる（図４（ｂ））。これによって、永久磁石５の発生する磁界と、電磁石６の発生する磁界とで打ち消し合い、実質的に永久磁石の発生する磁界が弱められて、磁力吸着による永久磁石５と電磁石６との固定力が低減することになる。
【００６２】
この状態では、小さな外力をタッチパネル２に付与するだけで、タッチパネル２をフレーム部３から取り外すことができる。
【００６３】
なお、磁極の並ぶ方向が第１方向および第２方向のいずれの場合であっても、Ｎ極とＳ極とが入れ換わってもよい。
【００６４】
上記のように、本実施形態では、電磁石６を、磁力吸着による固定力を低減させるためだけに用いたが、他の実施形態では、永久磁石５を着磁させるために用いる。
【００６５】
永久磁石５は、僅かながらも経時的に磁気モーメントのばらつきなどにより、部分的に消磁され、磁石全体の磁界の強さが低下するので、表示装置１を長期間使用しているときには、磁力吸着によるタッチパネル２の固定力が弱まることになる。このような永久磁石５は、外部から強磁界を印加することで、磁気モーメントの方向を揃えて、磁界の強さを再生することができる。
【００６６】
電磁石６は、コイルに電流を供給することで、永久磁石５に対して強磁界を印加することができる。上記の実施形態では、電磁石６のコイルに電流を供給し、永久磁石５の磁界を弱めるような磁界を発生させたが、本実施形態では、これ以外にコイルに電流を供給する向きを反対にし、永久磁石５に対して発生磁界が増大するような磁界を電磁石６で発生させる。具体的には、タッチパネル２を取り外す際にコイルに供給する電流の向きと反対向きに電流を供給すればよい。
【００６７】
また、永久磁石５を再生するために、電磁石６のコイルに電流を供給する期間と、表示装置１を使用するために電源をオン・オフする期間とは関連性がないので、本実施形態でも、表示装置１の電源キーとは別に、電磁石６のコイル２に電流を供給するための制御キーを独立して設けることが好ましい。
【００６８】
上記の実施形態では、コイルに電流を供給する向きが一定であるので、電磁石６の電流供給を制御するための制御キーは、コイルに電流を供給するかしないかの２種類の状態を切り換えることができるようなスイッチであればよい。
【００６９】
これに対して本実施形態では、電流を供給しない状態と、電流を供給する状態であって、電流の向きが異なる２つの状態とがあり、３つの状態を切り換えることが可能なスイッチが必要である。たとえば、制御キーがスライドキーであれば、キーの付近に「メンテナンス時⇔通常使用時⇔磁石再生時」、「取り外し⇔固定⇔再生」などの表示をしておき、制御キーが「メンテナンス時」および「取り外し」にスライドさせたときには、電子基板９に設けられた電磁石６への電流供給回路を閉じるようにして、電磁石６のコイルに電流を第１の方向で供給するように構成する。制御キーが「通常使用時」および「固定」にスライドさせたときには、電子基板９に設けられた電磁石６への電流供給回路を開くようにして、電磁石６のコイルへの電流の供給を停止するように構成する。さらに、制御キーが「磁石再生時」および「再生」にスライドさせたときには、電子基板９に設けられた電磁石６への電流供給回路を閉じるようにして、電磁石６のコイルに電流を第１の方向とは逆向きの第２の方向で供給するように構成する。
【符号の説明】
【００７０】
１      表示装置
２      タッチパネル
３      フレーム部
４      表示パネル
５      永久磁石
６      電磁石
７      板金
８      両面テープ
９      電子基板
１０    配線
【図１】
2013250794.tif 000003
【図２】
2013250794.tif 000004
【図３】
2013250794.tif 000005
【図４】
2013250794.tif 000006